(57)【要約】【課題】既製品の本のうち、スピンが備えられていないものに用いられる際にも、脱落や紛失を防止することができるスピンを提供する。【解決手段】不透明に形成された不透明区域２３と、この不透明区域２３に連接されて透明に形成された透明区域２４とから、シール部２１を構成し、本１の間に挟まれる紐部２２をシール部２１に貼り付けて並製本用スピン２０を構成する。不透明区域２３を本１の背表紙４に貼り付け、透明区域２４を表表紙２および裏表紙３に貼り付ける。【選択図】図３
0003195420.tif 000002
【実用新案登録請求の範囲】
【請求項１】
本の外装に貼り付けられるシール部と、
前記シール部に備えられて前記本の間に挟まれる紐部と、が備えられた、
ことを特徴とするスピン。
【請求項２】
前記シール部が、
前記紐部が取り付けられて不透明に形成された不透明区域と、
前記不透明区域に連接されて透明に形成された透明区域と、から構成された、
ことを特徴とする請求項１に記載されたスピン。
【請求項３】
前記不透明区域が前記本の外装のうちの背表紙に配置され、
前記透明区域が前記本の外装のうちの表表紙および裏表紙に配置される、
ことを特徴とする請求項２に記載されたスピン。
【考案の詳細な説明】
【技術分野】
【０００１】
本考案は、本に備えられるスピンに関するものである。
【背景技術】
【０００２】
従来、読み途中の本などの間に挟むことで、最後に開いたページを容易に検索するために、しおりが用いられる。このしおりは、例えば紐状のもの（スピン）や、シート状のものなどが存在する。スピンは、製本時に本の背に接着され、既製品として本に備えられている。一方、シート状のものは、例えば、紙製、布製、革製などがあり、適度な大きさの長方形であることが多い。
【考案の概要】
【考案が解決しようとする課題】
【０００３】
しかし、スピンは、文庫本などの一部の本には備えられていない場合がある。この場合、シート状のしおりが用いられるが、シート状のしおりは、読者が気付かないうちにページの間から脱落し、紛失しやすい。
【０００４】
本考案は、上記の実情に鑑みて提案されたものである。すなわち、既製品の本のうち、スピンが備えられていないものに用いられる際にも、脱落や紛失を防止することができるスピンの提供を目的とする。
【課題を解決するための手段】
【０００５】
上記目的を達成するために、本考案に係るスピンは、本の外装に貼り付けられるシール部と、前記シール部に備えられて前記本の間に挟まれる紐部と、が備えられた、ことを特徴とする。
【０００６】
本考案に係るスピンは、前記シール部が、前記紐部が取り付けられて不透明に形成された不透明区域と、前記不透明区域に連接されて透明に形成された透明区域と、から構成された、ことを特徴とする。
【０００７】
本考案に係るスピンは、前記不透明区域が前記本の外装のうちの背表紙に配置され、前記透明区域が前記本の外装のうちの表表紙および裏表紙に配置された、ことを特徴とする。
【考案の効果】
【０００８】
本考案に係るスピンは、上記した構成である。この構成により、シール部が本の外装に貼り付けられることで本に紐部が付着される。したがって、既製品の本のうち、スピンが備えられていないものであっても、脱落や紛失を防止してスピンを用いることができる。
【０００９】
本考案に係るスピンは、紐部が取り付けられて不透明に形成された不透明区域と、この不透明区域に連接されて透明に形成された透明区域とから、シート部が形成されている。この構成により、不透明区域により紐部が遮蔽され、紐部の色が透過することが妨げられる。また、透明区域により外装の色が透過する。したがって、可能な限り既製品の本の外観を維持することができる。
【００１０】
本考案に係るスピンは、不透明区域が本の外装のうちの背表紙に配置され、透明区域が本の外装のうちの表表紙および裏表紙に配置されている。この構成により、製本時にスピンが背に接着された本と、使い勝手が同等になる。したがって、既製品の本のうち、スピンが備えられていないものであっても、脱落や紛失を防止してスピンを用いることができる。
【図面の簡単な説明】
【００１１】
【図１】本考案の第一実施形態に係るスピンが示された外観図である。
【図２】本考案の第二実施形態に係るスピンが示された外観図である。
【図３】本考案の第二実施形態に係るスピンの使用状態が示された使用状態図である。
【考案を実施するための形態】
【００１２】
以下に、本考案の第一実施形態を図面に基づいて説明する。図１は、本考案の第一実施形態に係るスピンとしての並製本用スピン１０の外観が示されている。なお、本１の外装は、表表紙２、裏表紙３、背表紙４とする（図３参照）。
【００１３】
図１に示されているとおり、第一実施形態に係る並製本用スピン１０は、本１（図３参照）の背表紙４などに貼り付けられるシール部１１と、このシール部１１に備えられて本１の間に挟まれる紐部１２とが備えられている。シール部１１は、本１の背表紙４の幅の範囲内の大きさであり、裏側に粘着剤が塗布されて剥離テープ（図示省略）などが貼り付けられている。表側は、無地の他、例えば出版社の社名などが記載されていてもよい。紐部１２は長手であり、シール部２の裏面に接着されている。なお、紐部１２の長さ、幅、色は、それぞれ任意である。並製本用スピン１０は、シール部１１が本の背表紙４に貼り付けられる他、表紙の内側などに貼り付けられてもよい。
【００１４】
上記した構成により、並製本用スピン１０は、シール部１２が本１の背表紙４などに貼り付けられることで、紐部１２の端が本１に付着される。したがって、既製品の本１のうち、スピンが備えられていないものであっても、脱落や紛失を防止して並製本用スピン１０を用いることができる。
【００１５】
次に、本考案の第二実施形態を図面に基づいて説明する。図２は、本考案の第二実施形態に係る並製本用スピン２０の外観が示され、図３は、並製本用スピン２０の使用状態が示されている。なお、以下では、第一実施形態と異なる構成のみの説明がなされ、同じ構成は説明が省略されている。
【００１６】
図２および図３に示されているとおり、第二実施形態に係る並製本用スピン２０は、シール部２１がほぼ長方形に形成され、本１の表表紙２から背表紙４を渡って裏表紙３に至る大きさに形成されている。並製本用スピン２０は、紐部２２が取り付けられて不透明に形成された不透明区域２３と、この不透明区域２３に連接されて透明に形成された透明区域２４とから、シール部２１が構成されている。不透明区域２３は、本１の背表紙４の幅の範囲内の大きさであり、シール部２１の中央に配置されている。一方、透明区域２４は不透明区域２３と、ほぼ同じ大きさに形成され、不透明区域２３の側方に配置されている。並製本用スピン２０のシール部２１は、不透明区域２３が本１の背表紙４に貼り付けられ、透明区域２４が本１の表表紙２および裏表紙３に貼り付けられる。なお、シール部２１における不透明区分２３および透明区分２４の範囲や配置は任意である。また、不透明区域は半透明などであってもよく、外観上、紐部２２が透明よりも遮蔽されるものであればよい。
【００１７】
上記した構成により、並製本用スピン２０は、不透明区域２３により紐部２２が遮蔽され、紐部２２の色が透過することが妨げられる。また、透明区２４分により表表紙２および裏表紙３の色が透過する。したがって、可能な限り既製品の本１の外観を維持することができる。
【００１８】
また、並製本用スピン２０は、製本時にスピンが背に接着された本と、使い勝手が同等になる。したがって、既製品の本１のうち、スピンが備えられていないものであっても、脱落や紛失を防止して並製本用スピン２０を用いることができる。
【００１９】
以上、本考案の実施形態の一つを例示して詳述したが、本考案は上記実施形態に限定されるものではない。そして本考案は、実用新案登録請求の範囲に記載された事項を逸脱することがなければ、種々の設計変更を行うことが可能である。
【符号の説明】
【００２０】
１                本
２                表表紙
３                裏表紙
４                背表紙
１０，２０        並製本用スピン（スピン）
１１，２１        シール部
１２，２２        紐部
２３              不透明区域
２４              透明区域
【図１】
0003195420.tif 000003
【図２】
0003195420.tif 000004
【図３】
0003195420.tif 000005